(57)【要約】【課題】現像済みフィルムのコマ画像読み取りを行うに際して、フィルムのオーダーデータを自動的に把握可能なプリント処理システムを提供する。【解決手段】未現像フィルムの現像処理を行なうプロセッサＦＰと、現像済みフィルムのコマ画像をデジタル画像データとして取得するスキャナーＦＳと、プロセッサＦＰから排出されるフィルムをスキャナーＦＳへ搬送する搬送ユニットＦＣと、スキャナーＦＳにより取得された画像データに基づいてプリントを作成するプリント作成装置ＰＡとを備え、フィルムのオーダーデータを識別情報と対応付けて保存するオーダーデータ保存部１０１と、スキャナーＦＳにより取得された画像データを解析して、フィルム先端に取り付けられた識別情報ラベルの識別情報を抽出する識別情報解析部と、抽出された識別情報に対応するオーダーデータを読み出すオーダーデータ読み出し部とを備え、識別情報ラベルは、透光性領域と遮光性領域の組み合わせにより識別情報が表される。【選択図】図６
2007199628.tif 000002
【特許請求の範囲】
【請求項１】
現像済み写真フィルムに形成されたコマ画像を読み取りデジタル画像データを取得するためのフィルムスキャナーと、
写真フィルムのオーダーデータを識別情報と対応付けて保存するオーダーデータ保存部と、
フィルムスキャナーにより取得された画像データを解析して、写真フィルムの先端側に取り付けられた識別情報ラベルに形成されている識別情報を抽出する識別情報解析部と、
抽出された識別情報に対応するオーダーデータを読み出すオーダーデータ読み出し部とを備え、
前記識別情報ラベルは、透光性領域と遮光性領域の組み合わせにより識別情報が表されるように形成されていることを特徴とするプリント処理システム。
【請求項２】
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットと、フィルムスキャナーにより取得された画像データに基づいて写真プリントを作成するプリント作成装置とを備えたプリント処理システムであって、
写真フィルムのオーダーデータを識別情報と対応付けて保存するオーダーデータ保存部と、
フィルムスキャナーにより取得された画像データを解析して、写真フィルムの先端側に取り付けられた識別情報ラベルに形成されている識別情報を抽出する識別情報解析部と、
抽出された識別情報に対応するオーダーデータを読み出すオーダーデータ読み出し部とを備え、
前記識別情報ラベルは、透光性領域と遮光性領域の組み合わせにより識別情報が表されるように形成されていることを特徴とするプリント処理システム。
【請求項３】
前記透光性領域は識別情報を表す孔として形成されることを特徴とする請求項１又は２に記載のプリント処理システム。
【請求項４】
オーダーデータ保存部から読み出されたオーダーデータの内容に対応した画像データの読み取りを行なうスキャナー制御部を備えていることを特徴とする請求項１〜３のいずれか１項に記載のプリント処理システム。
【請求項５】
読み出された識別情報を写真プリントとして出力するためのプリントデータ生成部を備えていることを特徴とする請求項１〜４のいずれか１項に記載のプリント処理システム。
【発明の詳細な説明】
【技術分野】
【０００１】
本発明は、現像済み写真フィルムと写真フィルムのオーダーデータとを確実に関連付けできるプリント処理システムに関するものである。
【背景技術】
【０００２】
未現像写真フィルムの現像処理を行なうフィルムプロセッサと、現像済み写真フィルムのコマ画像をデジタル画像データとして取得するためのフィルムスキャナーとを結合して一体化したプリント処理システムとして、下記特許文献１に開示される写真感光材料処理装置が公知である。このシステムによれば、フィルムプロセッサにおいて未現像写真フィルムの現像処理を行い、現像済み写真フィルムはフィルムプロセッサから排出されて搬送ユニットによりフィルムスキャナーに引き続き搬送されて、各コマ画像のスキャニングが行われる。このように、写真フィルムの現像処理から画像読み取りまでを自動的かつ連続的に行なうことができる。読み取られた画像データは、プリント作成装置に送られて写真プリントの作成処理が行われる。写真プリントはオーダー単位でＤＰ袋に収納され依頼者に提供される。
【０００３】
このシステムにおいては、写真フィルムの現像処理を行う際にオーダーデータを入力することが行なわれる。オーダーデータは、オーダーデータ保存部に保存されオーダー単位で管理されるものである。オーダーデータには、そのオーダーを特定する識別情報、注文データ（プリントサイズ、プリント枚数、読み取り解像度の設定、写真プリントの作成を行なうか否か、メディアへの画像書き込みを行なうか否かなど）が含まれている。
【０００４】
かかる場合において、写真フィルムの現像処理を行う前にオーダーデータを入力するようにすれば、写真フィルムの現像処理から画像読み取りまでが連続的に処理される限り、現在どのオーダーの写真フィルムを処理中であるかをシステムが把握することが可能である。
【０００５】
【特許文献１】特開平１１−２３４４７６号公報
【発明の開示】
【発明が解決しようとする課題】
【０００６】
しかしながら、上記処理の連続性が途切れてしまうことがある。例えば、フィルムスキャナーにおける写真フィルムの読み取りに時間がかかったり、フィルムスキャナーにトラブルが生じてメンテナンスを要する場合などである。この場合、フィルムプロセッサから排出された現像済み写真フィルムは、フィルムスキャナーへ搬送されず、一旦フィルムストッカーに回収する。回収された写真フィルムは、改めて手動操作などによりフィルムスキャナーに挿入されてコマ画像の読み取りが行なわれる。
【０００７】
かかる場合には、オーダーデータの入力順番と写真フィルムの処理順番が一致しなくなっており、手動操作で挿入しようとする写真フィルムはどのオーダーのものであるかをシステム側で判断することができない状態となる。この場合は、例えば、写真フィルムの先端側に貼り付けられた識別情報ラベルを目視で読み取り、対応するオーダーデータをオーダーデータ保存部から抽出する作業を行ってから、フィルムスキャナーによる読み取り処理を開始させる必要があり、オペレータの作業が煩雑であった。
【０００８】
本発明は上記実情に鑑みてなされたものであり、その課題は、現像済み写真フィルムのコマ画像読み取りを行うに際して、その写真フィルムのオーダーデータを自動的に把握可能なプリント処理システムを提供することである。
【課題を解決するための手段】
【０００９】
上記課題を解決するため本発明に係るプリント処理システムは、
現像済み写真フィルムに形成されたコマ画像を読み取りデジタル画像データを取得するためのフィルムスキャナーと、
写真フィルムのオーダーデータを識別情報と対応付けて保存するオーダーデータ保存部と、
フィルムスキャナーにより取得された画像データを解析して、写真フィルムの先端側に取り付けられた識別情報ラベルに形成されている識別情報を抽出する識別情報解析部と、
抽出された識別情報に対応するオーダーデータを読み出すオーダーデータ読み出し部とを備え、
前記識別情報ラベルは、透光性領域と遮光性領域の組み合わせにより識別情報が表されるように形成されていることを特徴とするものである。
【００１０】
かかる構成によるプリント処理システムの作用・効果を説明する。このシステムに備えられたフィルムスキャナーにより、現像済み写真フィルムに形成されているコマ画像を読み取りデジタル画像データを取得することができる。また、写真フィルムの先端側には識別情報ラベルが取り付けられており、フィルムスキャナーの機能を用いて識別情報ラベルの画像情報から識別情報を抽出することができる。すなわち、識別情報ラベルは、透光性領域と遮光性領域の組み合わせにより識別情報が表されている。このように構成することで、コマ画像を読み取るための機能を利用して識別情報を抽出することができ、フィルムスキャナーの構成を簡素化できるという利点を有する。識別情報を抽出することで、これをキーとして、オーダーデータ保存部に保存されているオーダーデータを読み出すことができる。
【００１１】
従って、フィルムストッカーに回収された写真フィルムであったとしても、フィルムスキャナーによるスキャニング処理で識別情報を抽出し、オーダーデータを把握できる。この読み出されたオーダーデータに対応した処理を自動的に行うことができる。その結果、現像済み写真フィルムのコマ画像読み取りを行うに際して、その写真フィルムのオーダーデータを自動的に把握可能なプリント処理システムを提供することができる。
【００１２】
上記課題を解決するため本発明に係る別のプリント処理システムは、
未現像写真フィルムの現像処理を行なうフィルムプロセッサと、このフィルムプロセッサにより処理された現像済み写真フィルムのコマ画像をデジタル画像データとして取得するためのフィルムスキャナーと、フィルムプロセッサから排出される現像済み写真フィルムをフィルムスキャナーへ搬送するための搬送ユニットと、フィルムスキャナーにより取得された画像データに基づいて写真プリントを作成するプリント作成装置とを備えたプリント処理システムであって、
写真フィルムのオーダーデータを識別情報と対応付けて保存するオーダーデータ保存部と、
フィルムスキャナーにより取得された画像データを解析して、写真フィルムの先端側に取り付けられた識別情報ラベルに形成されている識別情報を抽出する識別情報解析部と、
抽出された識別情報に対応するオーダーデータを読み出すオーダーデータ読み出し部とを備え、
前記識別情報ラベルは、透光性領域と遮光性領域の組み合わせにより識別情報が表されるように形成されていることを特徴とするものである。
【００１３】
このプリント処理システムによれば、未現像写真フィルムをフィルムプロセッサで現像処理して、現像処理された写真フィルムを搬送ユニットによりフィルムスキャナーへと搬送し、フィルムスキャナーにより現像済み写真フィルムのコマ画像を読み取る。このように、現像処理から画像読み取りまでの処理を連続的かつ自動的に行うことが可能である。また、プリント作成装置を備えており、フィルムスキャナーにより取得された画像データに基づいて、写真プリントの作成を行うことができる。従って、さらに写真プリント作成までの処理を連続的に行うことも可能である。
【００１４】
かかるシステムにおいて、処理の連続性が中断されて、写真フィルムをフィルムスキャナーへ挿入する操作を手動で行なうような場合でも、前述のようにフィルムスキャナーにより識別情報を自動的に抽出することで、オーダーデータを把握することができる。
【００１５】
本発明において、前記透光性領域は識別情報を表す孔として形成されることが好ましい。
【００１６】
孔とすることで、フィルムスキャナーに備えられた読み取り用光源の照射光は孔、及び、写真フィルムのベース部を透過する。一方、遮光性領域は照射光が透過しない。これにより、読み取った画像データを画像処理等で解析することで識別情報を抽出することができる。
【００１７】
本発明において、オーダーデータ保存部から読み出されたオーダーデータの内容に対応した画像データの読み取りを行なうスキャナー制御部を備えていることが好ましい。
【００１８】
この構成によると、オーダーデータが読み出されると、その内容に従った画像データの読み取りが行われる。例えば、解像度に関する指定があれば、それに従った画像読み取りが行われるため、オーダー内容に従った適切な処理を行うことができる。
【００１９】
本発明において、読み出された識別情報を写真プリントとして出力するためのプリントデータ生成部を備えていることが好ましい。
【００２０】
識別情報を写真プリントとして出力することで、写真プリントに形成された識別情報と、写真フィルム識別情報ラベルに形成された識別情報とを照合することができ、間違いを生じることなく、依頼者に写真フィルムとこれに対応した写真プリントを提供することができる。
【発明を実施するための最良の形態】
【００２１】
本発明に係るプリント処理システムの好適な実施形態を図面を用いて説明する。図１は、フィルムプロセッサＦＰとフィルムスキャナーＦＳで構成されるフィルム処理装置ＦＡと、プリント作成装置ＰＡを有するプリント処理システム１全体の外観構成を示す図である。なお、プリント処理システム１は、その他の装置（例えば、注文者用受付端末、記録媒体への書き込み・読み取り装置、インターネット受け付け可能なＰＣ端末等）を有することができる。この場合、その他の装置については、ＬＡＮなどのネットワークにより上記プリント処理システムと接続することができる。
【００２２】
＜システムの全体構成＞
図１において、フィルム処理装置ＦＡは、未現像写真フィルムの現像処理を行なうフィルムプロセッサＦＰと、このフィルムプロセッサＦＰにより現像処理された現像済み写真フィルムのコマ画像を光電変換によりデジタルの画像データとして取得するためのフィルムスキャナーＦＳとを上下位置に配置する。そして、フィルム処理装置ＦＡは、フィルムプロセッサＦＰの排出部から排出された現像済み写真フィルムをフィルムスキャナーＦＳの供給部へ搬送するための搬送ユニットＦＣを備えている。
【００２３】
このフィルム処理装置ＦＡは、通信回線を介してプリント作成装置ＰＡに接続される。プリント作成装置ＰＡは、通信機能、オーダー管理・制御機能、画像処理機能、プリント作成機能を有し、コンピュータ、ディスプレイ等の表示手段、キーボード、マウス等のインターフェースとを備えている。この構成によりフィルム処理装置ＦＡで取得した画像データは、通信回線を介してプリント作成装置ＰＡに伝送され、このプリント作成装置ＰＡにより印画紙等のプリント媒体に画像がプリントされる。オーダー管理・制御は、画像データをオーダー単位で管理し、プリント作成の順序を設定できるように構成される。
【００２４】
なお、プリント作成装置ＰＡは銀塩式の印画紙を使用するものに限定されず、インクジェット型、昇華型のプリント作成装置を用いてもよい。
【００２５】
本発明において、フィルムプロセッサＦＰにより現像処理される前の写真フィルム（コマ画像が潜像状態のもの）を特に未現像写真フィルムと称し、フィルムプロセッサＦＰにより現像処理された後の写真フィルム（コマ画像が顕在化したもの）を特に現像済み写真フィルムと称することがある。
【００２６】
＜フィルムプロセッサ＞
フィルムプロセッサＦＰは、図１、２に示すように、プロセッサ本体の前部にフィルム挿入部１１を配置し、プロセッサ本体内部に現像処理部１２、乾燥処理部１３とを備え、プロセッサ本体の後部に排出部１４を配置し、フィルム挿入部１１から排出部１４にわたって搬送機構１５を形成している。プロセッサ本体の前部位置には各種情報を表示する液晶ディスプレイ１６ａと複数の操作ボタン１６ｂを有したコントロールパネル１６を備え、プロセッサ本体内部にフィルムプロセッサＦＰ全体の制御を実現する制御ユニット１７を備える。プロセッサ本体の上面には、排出部１４から送りだされる現像済み写真フィルムを受け止めるフィルムストッカー１８が形成されている。
【００２７】
フィルム挿入部１１には、開閉自在な蓋体１１ａを備え、フィルムカートリッジＣａ（もしくはパトローネ）に収容されたロール状の未現像写真フィルムをセットし、搬送機構１５に受け渡す作動系（フィルム駆動機構１１ｅ）と、写真フィルムの後端を切断する切断ユニット１１ｂを備える。
【００２８】
また、写真フィルムの長さの情報を得るために、搬送機構１５によって搬送される写真フィルムの先端及び後端の通過を検出するローディングセンサー１１ｃ（フィルム位置検出センサーに相当）を備える。ローディングセンサー１１ｃは、例えば、一対の光学式センサー（受光式、投光式）、反射型センサー、レーザセンサー、その他の近接センサー、イメージセンサー等で構成できるが、一対の光学式センサー（受光式、投光式）が好ましい。このローディングセンサー１１ｃは、フィルム先端位置（もしくはフィルムリーダの先端位置）とフィルム後端位置を検出することができる。これら検出された先端位置と後端位置情報に基づいて、写真フィルムの長さ情報を演算することができる（後述）。
【００２９】
ＡＰＳフィルムの現像処理の場合、カートリッジＣａから引き出した写真フィルムの先端にフィルムリーダＬを取り付け、蓋体１１ａを開放して、このフィルムリーダＬが先行するようにフィルム挿入部１１にカートリッジＣａをセットする。写真フィルムＦとフィルムリーダＬとを接続した状態を図３に示す。フィルムリーダＬは、樹脂製のフィルムと同程度の柔軟性を持つシート状部材であり、写真フィルムＦよりも大きな幅寸法を有する。フィルムリーダＬには、多数のパーフォレーションＬａが形成されており、このパーフォレーションＬａと噛み合うスプロケットにより、写真フィルムＦはフィルムプロセッサＦＰ内を搬送される。かかるパーフォレーションＬａを設けることで、フィルムプロセッサＦＰ内をすべりが生じることなく確実に写真フィルムを案内することができる。
【００３０】
パーフォレーションＬａは、好ましくは、図示のようにフィルムリーダＬの幅方向の片側端部（図３参照）に形成されるが、両側端部に形成されていてもよい。写真フィルムＦとフィルムリーダＬとの連結は、図３（ａ）に示すように、フィルムリーダＬに形成された係合突起を写真フィルムＦに形成された孔に挿入することで連結してもよいし、図３（ｂ）に示すように、粘着テープＴにより写真フィルムＦの先端部とフィルムリーダＬとを連結してもよい。使用されるフィルムリーダＬの形状・大きさは予め決まっている。また、フィルムリーダＬと写真フィルムＦの連結は治具を用いて行なうため、フィルムリーダＬに対する写真フィルムＦの連結位置（貼り付け位置）も予め決まっている。
【００３１】
また、写真フィルムＦの先端側には、チェックラベルＣＬ（識別情報ラベルに相当）が貼り付けられており、このチェックラベルＣＬには識別情報が形成されている。この識別情報は、オーダーを特定するために用いられ、識別情報に対応したオーダーデータがシステム内に保存される。チェックラベルＣＬについては後述する。
【００３２】
フィルムリーダＬ付きの写真フィルムＦをセットして、蓋体１１ａを閉じた後、コントロールパネル１６の所定の操作ボタン１６ｂを操作することで制御ユニット１７の制御によってフィルム搬送（ローディング）が開始され、現像処理部１２での現像処理と、乾燥処理部１３での乾燥処理の後に排出部１４からフィルムリーダＬを先頭にして写真フィルムが排出される。この場合、カートリッジ検出手段１１ｄがカートリッジＣａを検出して、次いで、蓋体１１ａを閉じると、ローディングが開始され、写真フィルムＦが搬送開始される。
【００３３】
制御ユニット１７は、ローディングを開始するようにフィルムプロセッサＦＰの各要素を制御する。フィルム駆動機構１１ｅが、フィルムリーダＬ及び写真フィルムＦを圧着ローラで狭持しながら現像処理部１２まで搬送し、ローディングセンサー１１ｃが搬送されてきたフィルムリーダＬ及び写真フィルムの先端を検出すると、現像処理部１２及び乾燥処理部１３の搬送機構１５が駆動され、フィルムリーダＬ及び写真フィルムを圧着ローラで挟持して、現像処理部側に搬送する。ここで、フィルム駆動機構１１ｅと搬送機構１５は、別駆動で動作する。なお、フィルムプロセッサＦＰでの「ローディング」とは、フィルムカートリッジＣａから写真フィルムがフィルム駆動機構１１ｅによって引き出され、現像処理部１２に搬送される動作を意味する。
【００３４】
現像処理部１２は、発色現像槽、漂白槽、定着槽、安定槽を有し、現像処理部１２内部において搬送機構１５は、フィルムリーダＬ及び写真フィルムを搬送するためフィルムリーダＬのパーフォレーションＬａと係合する複数のスプロケット機構と圧着ローラ機構１５ａを備えている。また、乾燥処理部１３は、現像処理部１２から搬送されてきた写真フィルムを乾燥するブロワ１３ａを備える。同様に、乾燥処理部１３にも上記スプロケット機構と圧着ローラ機構が備えられている。搬送機構１５は、スプロケット機構と圧着ローラ機構１５ａと、これらを電動モータ（不図示）で同期駆動する駆動系を備えている。
【００３５】
排出部１４には、現像済み写真フィルムをフィルムプロセッサＦＰから排出するための排出ローラ１５ｂが設けられている。排出ローラ１５ｂにより排出された写真フィルムは、搬送ユニットＦＣに受け渡されフィルムスキャナーＦＳへと搬送されることになる。
【００３６】
フィルムスキャナーＦＳは、図１，２に示すように、スキャナー本体の下部にフィルムキャリア２１を配置し、このフィルムキャリア２１の下側に光源ユニット２２を、フィルムキャリア２１の上側にズームレンズ２３と光電変換ユニット２４とを配置している。スキャナー本体の内部にスキャナー制御部２５（制御ユニット）を配置している。フィルムスキャナーＦＳは、フィルムプロセッサＦＰに固定されており、排出部１４の排出ブロック上部位置に配置されている。
【００３７】
フィルムキャリア２１は、フィルムプロセッサＦＰの前部と同じ方向に現像済み写真フィルムの供給部２１ａを形成し、この供給部２１ａからフィルムを後部側に搬送しながらスキャニングを行えるように構成される。なお、フィルムキャリア２１に写真フィルムを送り出す前に、搬送ユニットＦＣにおいて写真フィルムからフィルムリーダＬを切り離す処理がなされる。また、フィルムキャリア２１は、搬送ローラ２１ｂを駆動する搬送モータ（不図示）を備える。
【００３８】
光源ユニット２２は、Ｒ（赤）、Ｇ（緑）、Ｂ（青）の３原色の発光ダイオード（不図示）を有し、ズームレンズ２３は、焦点距離の調節によって、写真フィルムのコマの情報を設定された拡大率で光電変換ユニット２４の光電変換面に結像させる。この光電変換ユニット２４は、Ｒ（赤）、Ｇ（緑）、Ｂ（青）の３原色に対応してＣＣＤ等の光電変換素子でなる３つのラインセンサ（不図示）を備える。
【００３９】
＜搬送ユニットの構成＞
次に、フィルムプロセッサＦＰから排出された現像済み写真フィルムをフィルムスキャナーＦＳへ搬送するための搬送ユニットＦＣの構成を図４により説明する。図４に示すように、フィルムプロセッサＦＰの排出部１４には、排出ローラ１５ｂが設けられている。
【００４０】
搬送ユニットＦＣは、フレームに固定された搬送ブロックＢと、所定の軸芯周りに回転可能に取り付けられたチャッカーＣとを備えている。搬送ブロックＢの下側のブロック部の上流側端部には、フィルムガイド３０が設けられており、軸芯３０ａ周りに回転可能に軸支されている。フィルムガイド３０は、搬送すべき写真フィルムの幅寸法に対応したガイド部を備えており、図４に示す第１位置と想像線で示す第２位置との間をガイド切替ソレノイド３１によりいずれかの位置に切り替えられる。第１位置にセットされているときは、写真フィルムをフィルムスキャナーＦＳの方向に導くことができる。第２位置にセットしているときは、写真フィルムはフィルムストッカー１８に排出される。
【００４１】
搬送経路に沿って、上流側の搬送ローラ対３２ａと下流側の搬送ローラ対３２ｂとからなるローラ搬送機構３２が設けられている。各搬送ローラ対３２ａ，３２ｂは、駆動ローラと圧着ローラにより構成され、第１駆動モータＭ１により同期駆動される。下流側の搬送ローラ対３２ｂの上流側近傍に第１フィルムセンサー３３とリーダセンサー３４が設けられている。これらのセンサーは、発光素子と受光素子からなる光センサーであり、写真フィルムやフィルムリーダがセンサー位置を通過すると、透光状態から遮光状態に切り換わることで検出を行なう。第１フィルムセンサー３３とリーダセンサー３４は、図４の紙面に直交する方向から見ると同じ位置に配置されているが、幅方向において異なる位置に配置されており、写真フィルムとフィルムリーダを別々に検出することができる。
【００４２】
下流側搬送ローラ対３２ｂの更に下流側には、写真フィルムとフィルムリーダを切り離すためのカッター３５が設けられており、カットモータ３６により駆動される。カットされたフィルムリーダはリーダーストッカー１９に回収される。カッター３５のすぐ下流側には、第２フィルムセンサー３７が設けられており、フィルムリーダの先端や写真フィルムの先端を検出する。第２フィルムセンサー３７も第１フィルムセンサー３３と同様の光センサーで構成することができる。
【００４３】
チャッカーＣはフィルムリーダが切り離された写真フィルムの先端部を挟持ローラ対４０により挟持し、フィルムスキャナーＦＳの供給部２１ａへと搬送する。チャッカーＣは、チャッカー駆動モータにより軸芯４１回りに回転可能に設けられている。チャッカーＣは、図４に示すような写真フィルムを受け取る受け取り位置と、写真フィルムをフィルムスキャナーＦＳに受け渡し可能な受け渡し位置の間を回転可能であり、更に、ループボックス５０内にループを形成するためにループ形成位置において中間停止することができる。
【００４４】
搬送ユニットＦＣの右側の空間はループボックス５０であり、写真フィルムがループを形成するための空間部が形成されている。搬送ユニットＦＣの上部には、第１ガイド部６０と第２ガイド部６１が設けられており、夫々写真フィルムを搬送するための搬送経路６０ａ，６１ａが形成されている。チャッカーＣが受け渡し位置に回転してきたときは、第２ガイド部６１は経路外に退避するように移動し、第１ガイド部６０の搬送経路６０ａに写真フィルムが受け渡される。
【００４５】
ループボックス５０の上方には第１排出経路５１と第２排出経路５２が設けられている。フィルムスキャナーＦＳによるコマ画像の読み取りが終了した写真フィルムは、第１ガイド部６０と第２ガイド部６１を逆方向に搬送され、第１排出経路５１へと導かれる。第１排出経路５１の終端はフィルムストッカー１８へと連結されており、スキャニングを終了した写真フィルムはフィルムストッカー１８に回収される。
【００４６】
フィルムプロセッサＦＰにより現像処理された写真フィルムは、搬送ユニットＦＣを介して自動的にフィルムスキャナーＦＳに送り込まれるが、手動でフィルムスキャナーＦＳに写真フィルムを供給することもできる。この場合は、第２ガイド部６１を開いて、手動で写真フィルムを第１ガイド部６０を介して供給部２１ａから供給する。例えば、焼き増しプリントの依頼で写真フィルムの現像処理を行わない場合は、手動で写真フィルムをフィルムスキャナーＦＳに供給する。手動で挿入された写真フィルムは、第２排出経路５２から排出されるように構成されている。
【００４７】
フィルムスキャナーＦＳには、搬送経路に沿って搬送ローラ２１ｂが配置されており、その途中に読み取り用の開口部２１ｃが設けられる。この開口部２１ｃの位置に読み取り光軸ＳＬが設定される。供給部２１ａには、ローディングセンサー２６が設けられており、写真フィルムの先端が搬送されてきたことを検出する。この検出に基づいて、各搬送ローラ２１ｂを回転させるための駆動モータを駆動する。また、ローディングセンサー２６とは別にレディセンサー２７が設けられており、このレディセンサー２７による検出タイミングを基準として、写真フィルムの画像スキャニング開始が制御される。
【００４８】
＜フィルム処理装置の制御ブロック構成＞
次に、図５の制御ブロック図によりフィルム処理装置ＦＡの制御機能について説明する。まず、フィルムプロセッサＦＰの制御ユニット１７の主要な機能を説明する。フィルム端部検出部１７ａは、ローディングセンサー１１ｃによる検出信号に基づいて、写真フィルム（フィルムリーダ）の先端位置及び後端位置を検出する。フィルム長さ演算部１７ｂは、フィルム端部検出部１７ａにより検出された先端位置と後端位置の情報に基づいて、写真フィルムの長さを演算する。実際にローディングセンサー１１ｃにより検出されるのはフィルムリーダの先端であるが、フィルムリーダの大きさは予め分かっているため、その分を差し引くことで写真フィルムの長さを演算することができる。通信制御部１７ｃは、搬送ユニットＦＣやフィルムスキャナーＦＳとの通信を行う機能を有する。
【００４９】
フィルム位置演算部１７ｄは、写真フィルムの先端位置情報に基づいて、現像済み写真フィルムが搬送ユニットＦＣ内に送り込まれてくるタイミングを演算する。具体的には、排出ローラ１５ｂから所定距離の位置に写真フィルム先端が到達したことを検出する。カウント部１７ｅは、ローディングセンサー１１ｃにより先端が検出された時点から予め設定された所定時間をカウントする。所定時間をカウント終了した時点で、写真フィルムの先端が排出ローラ１５ｂから所定距離の位置に到達していることになる。なお、時間をカウントするのではなく、搬送機構１５による搬送量をカウントするように構成してもよい。
【００５０】
搬送制御部７０は、搬送ユニットＦＣ内を搬送される写真フィルムの搬送・停止を含む駆動制御を統括的に行なう。また、フィルムプロセッサＦPの制御ユニット１７及びフィルムスキャナーＦＳのスキャナー制御部２５との通信を行なう。写真フィルムの位置情報や長さ情報は、制御ユニット１７からの通信によりデータを受信することができる。
【００５１】
搬送量演算部７１は、写真フィルムの搬送量を演算する。搬送ユニットＦＣにおいて写真フィルムの搬送・停止の制御を行うためには、写真フィルムの搬送量を監視することが必要である。搬送量の演算は、各モータ（パルスモータ）を駆動するために供給される駆動パルスの数や、搬送ローラに連動して回転するエンコーダからの信号に基づいて、搬送量を演算することができる。あるいはタイマーによる時間カウントを行なって搬送量を演算してもよい。
【００５２】
搬送制御部７０は、ガイド切替ソレノイド３１、第１駆動モータＭ１、第２駆動モータＭ２、第３駆動モータＭ３、チャッカーモータＣＭ、カットモータ３６に対する駆動制御を行なう。第１駆動モータＭ１は、ローラ搬送機構３２を駆動し、第２駆動モータＭ２と第３駆動モータＭ３はチャッカーＣの挟持ローラ対４０を駆動する。チャッカーＣ自身には駆動源は搭載されておらず、チャッカーＣが受け取り位置にあるときは、第２駆動モータＭ２と挟持ローラ対４０とが機械的に連結し、チャッカーＣが受け渡し位置にあるときは、第３駆動モータＭ３と挟持ローラ対４０とが機械的に連結可能に構成されている。第２駆動モータＭ２と第３駆動モータＭ３は、搬送ユニットＦＣのフレームに対して固定されている。
【００５３】
第１・第２フィルムセンサー３３，３７については既に説明した通り、写真フィルム（フィルムリーダ）の先端・後端の検出を行なう。ホームリミットスイッチ３５ａは、カッター３５がホーム位置にあるか否かを検出する。ホームリミットスイッチ３５ａは機械的にカッター３５を検出するものであるが、光センサーなど他のタイプのセンサーを用いてもよい。
【００５４】
ホームセンサー３８は、チャッカーＣが受け取り位置（ホーム位置）にいることを検出するためのセンサーである。ガイド検出センサー６２は、第１ガイド部６０が閉じているか否かを検出するためのセンサーである。第１ガイド部６０が閉じているときに、チャッカーＣにより写真フィルムをフィルムスキャナーＦＳに受け渡すことができる。以上の各センサー信号は、搬送制御部７０に送信され、これらの検出結果に基づいて、ソレノイドやモータの駆動制御が行なわれる。
【００５５】
スキャナー制御部２５は、フィルムスキャナーＦＳの動作を制御する機能を有する。スキャニングを行うための主要な機能としてプレスキャン手段２５ａと本スキャン手段２５ｂを備えている。夫々、プレスキャンと本スキャンを行なう機能であるが、各スキャニングの内容について説明する。
【００５６】
プレスキャンとは、現像済み写真フィルムのフィルム全体の画像を低解像度で読み取る処理のことである。プレスキャンの目的の１つは、写真フィルムに形成されているコマ画像の位置を割り出すことであり（コマ位置解析部２５ｃの機能）、必要に応じて、読み取った画像をモニターに表示させてオペレータによる確認・判定作業などを行う。コマ位置の割り出しは、例えば、画像処理技術を用いて行なうことができる。写真フィルムのベース部分は露光されていないが、コマ画像の領域は露光されている領域であり、現像処理されると濃度に差が生じる。この濃度差に基づいてコマ位置を割り出すことができる。
【００５７】
本スキャンとは、プレスキャンにより決定されたコマ位置情報に基づいて、コマ画像の領域のみを高解像度でスキャニングする。この本スキャンにより取得される画像データは、実際に写真プリントを作成するときに用いられる画像データとなる。プレスキャンによりコマ位置を自動的に割り出しできた場合は、引き続き本スキャンも自動的に行うことができる。
【００５８】
図４において、プレスキャンを行なうときは写真フィルムは第１ガイド部６０を介してフィルムスキャナーＦＳに挿入され、写真フィルムが図４の右から左へ搬送されるときに行なわれる。プレスキャンが終了すると、写真フィルムを逆に左から右方向へと搬送させて、本スキャンを行なう。このような写真フィルムの搬送制御や画像読み取りの制御がスキャナー制御部２５により行われる。本スキャンが終了した写真フィルムは、第１ガイド部６０と第２ガイド部６１を経由して、第１排出経路５１もしくは第２排出経路５２に排出されることになる。
【００５９】
識別情報解析部２５ｄは、写真フィルムの先端側に貼り付けられているチェックラベルの識別情報を解析する。図６は、写真フィルムにチェックラベルＣＬの構成例を示す。チェックラベルＣＬは、透光性領域ＣＬ１と遮光性領域ＣＬ２により構成されており、透光性領域ＣＬ１は孔として形成されており、光がそのまま通過する。遮光性領域ＣＬ２は光を通過させない。図６では、透光性領域ＣＬ１は、そのまま識別情報（数字の１２３４）を形成している。
【００６０】
チェックラベルＣＬが貼り付けられている部分は写真フィルムの先端側であり、通常はかぶりの領域である。ただし、かぶりの領域であっても、光を透過可能な状態であることには変わりがない。従って、チェックラベルＣＬの部分に照射された光は、透光性領域ＣＬ１を通過すると、ＣＣＤ等の読み取り素子に到達することができる。
【００６１】
その結果、識別情報解析部２５ｄは、チェックラベルＣＬの周囲の画像を解析することで、チェックラベルＣＬに形成されている識別情報を解析することができる。識別情報の解析は画像処理技術により行なうことができる。識別情報を抽出すると、これに対応したオーダーデータを読み出すことが可能になる。
【００６２】
通信制御部２５ｅは、プリント作成装置ＰＡと通信を行う機能を有し、本スキャンにより取得された画像データは、通信制御部２５ｅの機能によりプリント作成装置ＰＡへ送信される。識別情報解析部２５ｄにより抽出された識別情報は、通信制御部２５ｅの機能によりプリント作成装置ＰＡへ送信されオーダーデータの検索が行なわれる。そのほか、種々の通信をプリント作成装置ＰＡと行なう。
【００６３】
＜チェックラベルの別実施形態＞
チェックラベルＣＬの構成例は図６に示すもの以外に種々の変形例が考えられる。透光性領域ＣＬ１は孔でなくてもよく、透明なあるいは透光性を有する材料で形成されていてもよい。例えば、薄い透明フィルムシートを印刷して透光性領域ＣＬ１と遮光性領域ＣＬ２を形成してもよい。図６では、識別情報が形成されているのが透光性領域ＣＬ１となっているが、逆に識別情報が遮光性領域ＣＬ２として形成されていてもよい。識別情報は数字だけでなく、文字、記号や数字・文字・記号などの適宜の組み合わせにより構成してもよい。
【００６４】
また、チェックラベルＣＬとして、例えば数ビットで構成される孔（貫通孔）を形成するようにし、この孔の組み合わせにより識別情報を表すようにしてもよい。
【００６５】
＜プリント作成装置の制御ブロック構成＞
次に、プリント作成装置ＰＡの制御機能をについて図７の概念図により説明する。オーダー制御部１００は、顧客からのプリント注文依頼をオーダー単位で管理する機能を提供する。１オーダーは、写真フィルム１本単位あるいは記憶媒体１個単位で設定されるものである。オーダー登録部１００ａは、オーダーデータを設定して登録する機能を有し、設定されたオーダーデータはオーダーデータ保存部１０１に保存される。ここで、オーダーデータとは、そのオーダーを特定する識別情報、注文データ（プリントサイズ、プリント枚数、読み取り解像度の設定、写真プリントの作成を行なうか否か、メディアへの画像書き込みを行なうか否か）などである。識別情報については、識別情報設定部１００ｂにより設定されるものであり、設定された識別情報が形成されたチェックラベルが写真フィルムの先端側とＤＰ袋の両方に貼り付けられる。
【００６６】
オーダーデータを登録するのは、同時プリントの場合は写真フィルムの現像処理を行う前であり、オーダーデータを登録して初めて写真フィルムの現像処理が行なえるように構成されている。また、焼き増しプリントの場合は、写真フィルムを手動でフィルムスキャナーＦＳに挿入する前に行なわれる。
【００６７】
オーダーデータ検索部１００ｃは、識別情報などをキーとしてオーダーデータを読み出す機能を有する。フィルム処理装置ＦＡのスキャナー制御部２５から識別情報が送信されてきた場合、この識別情報をキーとして対応するオーダーデータを読み出すことができる。プリント処理制御部１００ｄは、登録されたオーダーのプリント処理を行なうように制御を行う。各オーダーはオーダーデータ保存部１０１に順次登録されていき、基本的にはその登録順序に従ってプリント処理を行なうように制御される。
【００６８】
画像保存部１０２にはプリント処理の対象となる画像データが保存される。画像データは識別情報に対応付けられて保存されており、プリント処理制御部１００ｄの指令に基づき、オーダー単位で画像データが読み出されてプリント処理が行われる。フィルム処理装置ＦＡの本スキャンで読み取られた画像データは、通信制御部１０３を介して受信されて画像保存部１０２に保存される。
【００６９】
プリントデータ生成部１０８は、フィルムスキャナーＦＳにより読み取られたチェックラベルＣＬを含む画像に基づいて、プリントデータを生成する。これにより、チェックラベルＣＬの画像を写真プリントとして出力できる。このプリントデータは、対応した識別情報のオーダーの画像データと共に画像保存部１０２に保存される。
【００７０】
画像判定部１０４は、取得した画像データに関して種々の判定を行う機能を提供する。そのために、入力操作部１０５（マウスやキーボードなど）とモニター１０６が設けられており、モニター１０６に画像を表示させてオペレータにより種々の判定を行う。例えば、画像の色・濃度が適切か否かの判定を行い、必要に応じて入力操作部１０５により補正データを入力することができる。そのほかに、逆光補正や赤目補正などの補正を行うことや、コマ位置解析部２５ｃにより解析されたコマ位置の修正なども行なうことができる。オペレータが画像判定部１０４の機能を利用して判定を行う場合は、プレスキャンにより読み取られた写真フィルムの画像をモニターに表示させて判定を行う。判定が終了すると、その旨の信号をフィルムスキャナーＦＳに送信すると、本スキャンが開始される。
【００７１】
ただし、画像判定部１０４による判定作業を行うか否かは選択事項であり、判定作業を行わない場合には、プレスキャンと本スキャンが連続して行われる。画像処理基板１０７は、画像保存部１０２から読み出された画像データに画像処理を施して露光エンジン２００へ転送する。画像処理は、画像判定部１０４において設定された補正データに基づく補正や、プリントサイズに対応した拡大処理などが行われる。
【００７２】
プリント作成装置ＰＡはネットワークによりフィルム処理装置ＦＡと接続されているが、接続されるフィルム処理装置ＦＡは１台に限定されるものではなく複数台であってもよい。また、ネットワークには複数の受付端末２が接続されていてもよい。受付端末２は、デジタルカメラの記録メディアやその他の記録メディアからの写真プリントの注文を受け付けることができる。そのために記録メディアに格納されている画像データを読み出すことができ、同じくオーダーデータと画像データがプリント作成装置ＰＡに送信されて、オーダーデータ保存部１０１や画像保存部１０２にデータが保存される。
【００７３】
ペーパーマガジン２０１には、長尺状のペーパー（写真感光材料）がロール状に収容されている。ペーパーマガジン２０１は複数台が着脱自在に取り付けられており、例えば、幅寸法が異なるペーパーを装填しておくことができる。ペーパーカッター２０２は、ペーパーを所定のプリントサイズにカットする。プリントサイズのデータは、オーダーデータ保存部１０１に保存されているデータである。
【００７４】
露光エンジン２００は、例えば、レーザーエンジンであり、画像処理基板１０７から転送されてくる画像データに基づいてレーザー光を光変調する。これにより、ペーパーの乳剤面をレーザー光で走査露光し画像形成が行なわれる。
【００７５】
現像処理部２０３は、画像が焼付露光されたペーパーの現像処理を行なう。乾燥処理部２０４は、現像処理されたペーパーの乾燥処理を行なう。ペーパー排出部２０５は、乾燥処理されたペーパーを装置外部に排出する。集積部２０６には、排出されたペーパーが仕上がりの写真プリントとして集積される。写真プリントはオーダー単位で区別できるように集積される。
【００７６】
＜フィルム処理装置の動作＞
次に、フィルム処理装置ＦＡの動作について簡単に説明する。図１１は、フィルム処理装置ＦＡの動作を説明するフローチャートである。図８〜図１０は、搬送ユニットにおける動作を示す作動図である。
【００７７】
フィルムプロセッサＦＰにおいて写真フィルムの現像処理が行われると（Ｓ１）、写真フィルムＦはフィルムプロセッサＦＳの排出ローラ１５ｂにより排出され（Ｓ２）、搬送ユニットＦＣ内へと送り込まれてくる。フィルムガイド３０は、図５あるいは図８に示すように、フィルムリーダＬを案内可能な位置にセットされており、排出ローラ１５ｂの駆動により、搬送ブロックＢへとフィルムリーダＬが案内される（Ｓ３）。
【００７８】
搬送ブロックＢにおいては、フィルムリーダＬと写真フィルムＦは、ローラ搬送機構３２により駆動され、フィルムリーダＬがフィルム幅規制ガイド３の位置に到着すると（Ｓ４）、フィルムリーダＬの先端によりフィルム幅規制ガイド３を押し上げて、フィルム幅規制ガイド３を搬送経路外に退避させる（Ｓ５）。図８は、フィルム幅規制ガイド３が退避させられた状態を示している。フィルムリーダＬがフィルム幅規制ガイド３の位置を通過すると、フィルム幅規制ガイド３は自重により回転し搬送経路内に復帰する（Ｓ６、Ｓ７）。フィルムリーダＬと写真フィルムＦの相対的な位置関係は予め決まっているため、フィルム幅規制ガイド３が復帰することで写真フィルムＦの幅方向を規制できる状態になる。
【００７９】
次に、所定の位置までフィルムリーダＬ及び写真フィルムＦを搬送させて写真フィルムＦを停止させる（Ｓ８）。フィルムリーダＬを写真フィルムＦと分離するため、カッター３５を動作させて、フィルムリーダＬを切り離す（Ｓ９）。分離されたフィルムリーダＬは挟持ローラ対４０により排出されて、リーダーストッカー１９に回収される（Ｓ１０）。
【００８０】
引き続いて写真フィルムＦのみを搬送する状態になり、チャッカーＣの挟持ローラ対４０により写真フィルムＦの先端部を挟持する位置まで搬送する（Ｓ１１）。次に、写真フィルムＦを挟持した状態でチャッカー４０を軸芯４１周りに回転させる（Ｓ１２）。チャッカーＣは、まず図９に示すような中間位置に停止し、ループボックス５０内に写真フィルムＦのループを形成させる（Ｓ１３，Ｓ１４）。十分な量のループが形成されると、チャッカーＣを再び回転させて、図１０の状態にし、写真フィルムＦを第１ガイド部６０の搬送経路６０ａへと受け渡す（Ｓ１５）。受け渡された写真フィルムＦは、フィルムスキャナーＦＳへと搬送されて、コマ画像の読み取りが行なわれる。
【００８１】
写真フィルムＦの搬送動作を行なわせるにあたり、搬送ユニット内に設けられた各アクチュエータと各種センサーの出力に基づいて、各部の作動制御が行なわれる。
【００８２】
＜フィルムスキャナーの動作＞
次に、フィルムスキャナーＦＳにおけるスキャニング動作について、図１２のフローチャートにより説明する。スキャニングを行う場合、自動処理モードと手動処理モードがあり、自動処理モードの場合はフィルムプロセッサＦＰで現像処理された写真フィルムが引き続き自動的にフィルムスキャナーＦＳへ搬送される。手動処理モードでは、オペレータの手動により写真フィルムをフィルムスキャナーＦＳに挿入する。
【００８３】
手動で処理する場合としては、例えば、焼き増しプリントを行う場合があげられる。焼き増しプリントの場合は、写真フィルムの現像処理を行う必要がないため、手動でフィルムスキャナーＦＳに写真フィルムを挿入することになる。また、自動処理モードの場合であっても、連続的に処理ができない場合、すなわち、フィルムプロセッサＦＰから排出された写真フィルムをそのままフィルムスキャナーＦＳに搬送できない場合がある。例えば、本スキャンに時間が多くかかり、次の写真フィルムをフィルムスキャナーＦＳに挿入することができない場合である。この場合、フィルムプロセッサＦＰから排出された写真フィルムは、フィルムストッカー１８へ回収される。フィルムストッカー１８へ回収された写真フィルムは、後から適宜の時間にオペレータによる手動処理が行われる。
【００８４】
そのほかに、フィルムスキャナーＦＳで前述の手動処理を行っている場合も、フィルムスキャナーＦＳへ写真フィルムを自動挿入できないため、フィルムストッカー１８に回収することになる。また、フィルムスキャナーＦＳのメンテナンスを行っている場合も例としてあげられる。
【００８５】
図１２のフローチャートを説明する。写真フィルムがフィルムスキャナーＦＳの供給部２１ａへ挿入される（Ｓ１００）。ローディングセンサー２６により、写真フィルムの先端を検出する（Ｓ１０１）。この検出結果に基づいて、搬送ローラ２１ｂが駆動され、これにより、写真フィルムは搬送ローラ２１ｂにより搬送される（Ｓ１０２）。
【００８６】
レディセンサー２７により写真フィルムの先端が検出されると、スキャニング処理が開始される（Ｓ１０３，１０４）。これにより、プレスキャンが行なわれ、写真フィルム全体の画像（プレスキャン画像）が低解像度で読み取られる（Ｓ１０５）。
【００８７】
プレスキャン画像に基づいて、コマ位置解析部２５ｃの機能により、コマ画像の位置を割り出す（Ｓ１０６）。また、チェックラベルＣＬが貼り付けられている部分のプレスキャン画像から、識別情報の解析を行なう（Ｓ１０７）。識別情報が抽出されると、この識別情報を通信制御部２５ｅを介してプリント作成装置ＰＡに送信する（Ｓ１０８）。
【００８８】
プリント作成装置ＰＡのオーダーデータ検索部１００ｃは、送信されてきた識別情報に対応するオーダーデータをオーダーデータ保存部１０１から読み出す（Ｓ１０９）。読み出されたオーダーデータは、フィルム処理装置ＦＡに送信され、スキャナー制御部２５が受信する（Ｓ１１０）。この受信したオーダーデータの内容に基づいて、本スキャンが行なわれる（Ｓ１１１）。本スキャンにより取得された画像データは、プリント作成装置ＰＡに送信され（Ｓ１１２）、画像保存部１０２に保存される（Ｓ１１３）。保存されたオーダーにかかる画像データは、プリント処理制御部１００ｄによる制御の元でプリント処理が行われる（Ｓ１１４）。
【００８９】
なお、画像データを送信するときには、チェックラベルＣＬを含む画像データも送信される。この画像データに基づいて、プリントデータ生成部１０８によりチェックラベルＣＬのプリントデータが生成され、コマ画像の画像データと共に画像保存部１０２に保存される。すなわち、同じオーダー内の画像データとして保存される。
【００９０】
プリント処理を行う場合には、チェックラベルＣＬの写真プリントが一番最後にプリントされるように制御される。集積部２０６においては、同じオーダーの写真プリントは上下方向に積層される形で集積され、チェックラベルＣＬの写真プリントが一番上に集積されることになるので、オーダーデータはオーダーの識別情報を容易に認識可能である。この可視化された識別情報を利用して、写真フィルムに貼り付けられているチェックラベルＣＬの識別情報と、ＤＰ袋に貼り付けられているチェックラベルＣＬの識別情報とを目視確認し照合することができる。チェックラベル画像の写真プリントは、上記照合の目的のために作成されるので、そのプリントサイズは必要最小限のサイズに設定しておけばよい。
【００９１】
本実施形態では、識別情報の解析をＳ１０７で常時行う構成となっているが、これに限定されるものではない。識別情報の解析を行なわなくても識別情報の認識がシステム内でできている場合は、識別情報の解析は行わなくてもよい。例えば、連続的に写真フィルムの現像処理とスキャニングが行われている間は、オーダー登録部１００ａで設定した順序で処理が行われているため、識別情報が把握されている状態である。この場合は、識別情報の解析処理を行わなくてもよい。
【００９２】
前述のようにフィルムストッカー１８に回収された写真フィルムのスキャニングを行う場合には、どのオーダーの写真フィルムのスキャニングを行おうとしているのかを把握できないため、識別情報の解析処理が行われる。また、プリント作成装置ＰＡが受付端末２からのオーダーも受け付ける場合は、オーダーの順序が受付端末２からのものとフィルム処理装置ＦＡからのものが混在することになる。そこで、オペレータによる照合作業を容易にするため、チェックラベルＣＬの部分を読み取りチェックラベルＣＬの画像を写真プリントとして出力することが好ましい。
【００９３】
チェックラベル画像をプリントする場合は、フィルムスキャナーＦＳにより読み取った画像をそのままプリントする以外にも次のような方法が考えられる。例えば、識別情報解析部２５ｄにより解析された識別情報（例えば、テキストデータ）をプリント作成装置ＰＡに送信し、プリントデータ生成部１０８により予め設定されたフォーマットの写真プリントを作成するようにしてもよい。
【００９４】
＜別実施形態＞
本発明において処理対象となる写真フィルムは、ネガフィルムかポジフィルムか限定されるものではなく、また、１３５タイプやＡＰＳタイプなどの適宜の種類の写真フィルムに対して応用することができる。
【００９５】
本実施形態において、オーダーデータ保存部１０１とプリントデータ生成部１０８はプリント作成装置ＰＡに備えられ、識別情報解析部２５ｄはフィルム処理装置ＦＡに備えられているが、これらの機能を配置する場所についてはシステム内の適宜の場所とすることができる。他の機能についても同様である。
【００９６】
フィルム処理装置ＦＡやプリント作成装置ＰＡの各制御機能については、ＣＰＵ、メモリ、ハードディスク等のハードウェアと、制御を行うためのソフトウェアを適宜組み合わせることにより構成することができる。
【００９７】
フィルムスキャナーＦＳが傷消し処理のための赤外線の発光・受光素子を有している場合は、写真フィルムの露光状態（かぶり、画像濃度、色など）に関係なく、チェックラベルの識別情報を読み取ることができる。
【００９８】
本実施形態では識別情報を写真プリントとして出力しているが、これに代えて、あるいはこれと合わせて、写真プリントの裏面に印字するようにしてもよい。
【図面の簡単な説明】
【００９９】
【図１】フィルム処理装置を有するプリント処理システム全体の外観構成を示す図
【図２】フィルム処理装置の全体構成を示す断面図
【図３】写真フィルムとフィルムリーダを連結した状態を示す図
【図４】搬送ユニットの構成を示す断面図
【図５】搬送ユニットの制御機能を示すブロック図
【図６】チェックラベルの構成を示す図
【図７】プリント作成装置の制御機能を示すブロック図
【図８】フィルム処理装置の動作を示す図
【図９】フィルム処理装置の動作を示す図
【図１０】フィルム処理装置の動作を示す図
【図１１】フィルム処理装置の動作を説明するフローチャート
【図１２】フィルムスキャナーの動作を説明するフローチャート
【符号の説明】
【０１００】
２５      スキャナー制御部
２５ａ    プレスキャン手段
２５ｂ    本スキャン手段
２５ｃ    コマ位置解析部
２５ｄ    識別情報解析部
１００    オーダー制御部
１００ａ  オーダー登録部
１００ｂ  識別情報設定部
１００ｃ  オーダーデータ検索部
１０１    オーダーデータ保存部
１０２    画像保存部
１０８    プリントデータ生成部
Ｆ        写真フィルム
ＦＰ      フィルムプロセッサ
ＦＡ      フィルム処理装置
ＦＣ      搬送ユニット
ＦＳ      フィルムスキャナー
ＰＡ      プリント作成装置
Ｃ        チャッカー
Ｌ        フィルムリーダ
【図１】
2007199628.tif 000003
【図２】
2007199628.tif 000004
【図３】
2007199628.tif 000005
【図４】
2007199628.tif 000006
【図５】
2007199628.tif 000007
【図６】
2007199628.tif 000008
【図７】
2007199628.tif 000009
【図８】
2007199628.tif 000010
【図９】
2007199628.tif 000011
【図１０】
2007199628.tif 000012
【図１１】
2007199628.tif 000013
【図１２】
2007199628.tif 000014